(57)【特許請求の範囲】
【請求項１】
袋状に成る第１及び第２収納部と、
前記第１収納部、第１シート状部、第２シート状部、前記第２収納部の順に連結される、前記第１及び第２シート状部と、
を具備し、
前記第１及び第２収納部の内側にそれぞれ前記第１及び第２シート状部が折り畳まれ一部又は全部が収納された状態を保つ待機状態と、
前記待機状態から前記第１及び第２収納部が互いに離れる方向に引っ張ることで前記第１及び第２シート状部が現れる出現状態と、
を有する、
封筒。
【請求項２】
待機状態で袋状に成る収納部の一片及び他片と、
出現状態で前記収納部の一片、シート状部の一片、前記シート状部の他片、引張部の順に連結される、前記シート状部及び前記引張部と、
を具備し、
前記収納部の内側に前記シート状部の一片が収納された状態を保つ前記待機状態と、
前記待機状態で前記収納部及び前記引張部が互いに離れる方向に引っ張ることで、前記収納部の一片及び他片を袋状につないでいる分断部で分断され、前記収納部の他片が前記シート状部の他片になり前記シート状部の一片が現れる前記出現状態と、
を有する、
封筒。
【発明の詳細な説明】
【技術分野】
【０００１】
本発明は、封筒に関する。
【背景技術】
【０００２】
封筒においては、特許文献１の実施例のように封筒の角に設けられたくじ部をミシン目で切り取ると、それに連結された封筒一端がミシン目で封筒本体と分離されることで封筒が開封されるよう一連の動作で誘う仕掛けによって、くじの当落を確認したついでに広告などを含む封筒を開けさせるようなアイデアが知られている。
【０００３】
また、カードにおいては、特許文献２の実施例のように袋部と内装されるカードにそれぞれ描かれた絵が、カードを切り抜き窓の幅分ストロークさせることで切り替わるようなアイデアが知られている。
【先行技術文献】
【特許文献】
【０００４】
【特許文献１】特開２０１２−１２１６００号公報
【特許文献２】実登３１３５４３６号公報
【発明の概要】
【発明が解決しようとする課題】
【０００５】
従来の封筒は開封するのにハサミやナイフを使って、あるいはミシン目の部分を慎重に開けて内容の全容が容易に覗ける状態にしてから、シート状の内容物等を出現させていた。しかしこれらの出現方法では、内容の全容が容易に覗けない待機状態から、内容が露出した出現状態への工程が長く緩やかで、喜びや驚きをあの人に贈る仕掛けとしての魅力に欠ける。
また、袋部に内装されるカードを動かすことで切り欠き窓からの絵が現れるあるいは変化するような仕掛けや、袋部の外側に設けられたオブジェが動くというような仕掛けでは、例えばあの人に郵送などで送る際に破損する可能性が高まるし、開封前から内容の大半が露出していれば喜びや驚きも減少しやすく、またプライバシーの問題も考えられる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る封筒は、例えば図１から４の組みのように、
袋状に成る収納部１及び４と、
収納部１、シート状部２、シート状部５、収納部４の順に連結される、シート状部２及び５と、
を具備し、
収納部１及び４の内側にそれぞれシート状部２及び５が折り畳まれ一部又は全部が収納された状態を保つ例えば図２及び３のような待機状態と、
前記待機状態から収納部１及び４が互いに離れる方向に引っ張ることでシート状部２及び５が現れる例えば図１のような出現状態と、
を有する、
封筒である。
【０００８】
発明２に係る封筒は、例えば図５及び６の組みのように、
例えば図６のように待機状態で袋状に成る収納部１の一片及び他片と、
例えば図５の組み立て前の状態とほぼ同じである出現状態で収納部１の一片、シート状部２の一片、シート状部２の他片、引張部３の順に連結される、シート状部２及び引張部３と、
を具備し、
収納部１の内側にシート状部２の一片が収納された状態を保つ前記待機状態と、
前記待機状態で収納部１及び引張部３が互いに離れる方向に引っ張ることで、収納部１の一片及び他片を袋状につないでいる分断部で分断され、収納部１の他片がシート状部２の他片になりシート状部２の一片が現れる前記出現状態と、
を有する、
封筒。
【発明の効果】
【０００９】
以上のように本発明では、収納部１及び引張部３が互いに離れる方向に引っ張るだけで、内容の全容が容易に覗けない待機状態から、内容が露出した出現状態へ素早く移行しシート状部２の内容がいきなり大きく露出するので、喜びや驚きをあの人に贈る仕掛けとして魅力に溢れながら、収納部１にシート状部２が収納された状態を保つ待機状態ではあの人に送る際の破損やプライバシーの問題にも対応できるような設計が容易となる。
【００１０】
また発明１では、本発明の効果に加えて、シート状部２及び５が折り畳まれ収納されるので、待機状態で収納されるシート状部２及び５の面積が比較的大きくなり、出現状態で露出する情報量がより増えることで、喜びや驚きをあの人に贈る仕掛けとして魅力が増大し、且つ折り畳まれたシート状部２が湾曲位置を移動しながら徐々に収納部１から出現する際の変形による抵抗力によって待機状態を保つことができるような設計が容易となる。
【００１１】
また発明２では、本発明の効果に加えて、分断部での分断が不可逆的であれば、収納部１にシート状部２が収納された状態を保つ待機状態であの人に送る際のプライバシーの問題に、より厳重に対応できるような設計が容易となる。
【図面の簡単な説明】
【００１２】
【図１】第１実施形態の出現状態の正面図
【図２】第１実施形態の待機状態の正面図
【図３】第１実施形態の待機状態の背面図
【図４】第１実施形態の組み立て前の図
【図５】第２実施形態の組み立て前の図
【図６】第２実施形態の待機状態の背面図
【発明を実施するための形態】
【００１３】
本発明の第１実施形態を図１から４に基づいて説明する。
【００１４】
図４は樹脂製又は紙製シートを切り抜いた組み立て前の状態であり、折り目９、１０、１１、１４、１５、１６、１７、１８、１９及び２０はスジ押し加工されており、折り目９、１０、１４、１５、１７、１８、１９及び２０を山折り、折り目１１及び１６を谷折りし、フラップ７、８、１２及び１３を接着することで、図２の待機状態となる。待機状態では袋状の収納部１及び４にそれぞれシート状部２及び５がそれぞれ折り目１１及び１６で折り畳まれた状態で収納されている。この待機状態から、収納部１及び４にそれぞれ設けられた「Ｐｕｌｌ」及び「△」の表示がある引張部６及び３が互いに離れる方向すなわち「△」の指し示す方向に引っ張ると、シート状部２及び５がそれぞれ折り目１０及び１５付近から湾曲位置がそれぞれ折り目１１及び１６の方向に移動しながらそれぞれ収納部１及び４の内側から徐々に現れ、図１のような出現状態に移行する。この時、湾曲し位置が移動することに対抗する力が発生し、この力が待機状態を保つ仕組みとなっている。また、引張部３及び６の位置までシート状部２及び５が入らない構造となっており、引張部３及び６を強く指先で摘まんでも出現状態への移行を妨げない。また、シート状部２及び５は一体に連結されており、シート状部２は折り目１０の部分で収納部１の開口縁の半分に一体に連結されており、シート状部５は折り目１５の部分で収納部４の開口縁の半分に一体に連結されており、収納部４に設けられた引張部３はシート状部５を介してシート状部２に連結されている。また、待機状態では図３のように収納部４に設けられたスリット２２に収納部１に設けられたタブ２１が差し込まれており、例えば郵便であの人に送る際の宛先を書いた背面部が安定して宛先を読み取りやすいようになっている。ここで例えばタブ２１の付け根にジッパー加工しておきタブ２１を収納部４に接着し、ジッパー部を開けることで待機状態になるというような、よりプライバシーに配慮した構造も考えられる。
また、図１ではシート状部２及び５に猫のような絵と英語のメッセージが現れているが、これは図４の組み立て前の状態で販売し予め購入者が書き込む、あるいは販売者が印刷しておくこともできるが、出現状態で購入者があの人を想って好みの絵やメッセージを入れ、シート状部２及び５を畳み入れ図２の待機状態にしても良いだろう。
また、図４の組み立て前の状態で販売する場合は、スジ押し加工の代わりに折り位置を印刷するような方式で、コスト削減をはかっても良いだろう。
また、シート状部２及び５が連結されることでかなりの面積を確保し、かなりの量の絵や写真やメッセージを記載できるが、更なる情報を記載したい場合は、シート状部２を延長し、収納時は例えば蛇腹状に折り畳み回数を増やせば良いだろう。
【００１５】
本発明の第２実施形態を図５及び６に基づいて説明する。
【００１６】
図５は樹脂製又は紙製シートを切り抜いた組み立て前の状態であり、折り目１０、１１、１５及び１６はスジ押し加工されており、折り目１７、１８、１９及び２０はミシン目加工されており、折り目１０、１５、１７、１８、１９及び２０を山折り、折り目１１及び１６を谷折りし、フラップ７及び８をシート状部２の背面側、フラップ１２及び１３をシート状部５の背面側にそれぞれ接着することで、シート状部２及び５の一部がそれぞれ収納部１及び４の一部を成し、図６の待機状態となる。待機状態では袋状の収納部１及び４にそれぞれシート状部２及び５が収納されている。この待機状態から、収納部１及び４にそれぞれ一体に連結された「Ｐｕｌｌ」及び「△」の表示がある引張部６及び３が互いに離れる方向すなわち「△」の指し示す方向に引っ張ると、折り目１７、１８、１９及び２０のミシン目加工の端部にそれぞれ設けられた切り欠き２３、２４、２５及び２６に応力集中して分断部としてミシン目で分断され、シート状部２及び５の正面側が現れる。また、シート状部２及び５は一体に連結されており、シート状部２は折り目１０の部分で収納部１の開口縁の半分に一体に連結されており、シート状部５は折り目１５の部分で収納部４の開口縁の半分に一体に連結されており、収納部４に連結された引張部３は収納部４及びシート状部５を介してシート状部２に連結されている。また、図５の組み立て前の状態で販売し予め購入者が絵やメッセージなどを書き込み組み立て図６のような待機状態にすることを想定しているが、販売者が印刷しておくこともできる。
また、待機状態で販売する場合は、折り目１７から２０のミシン目及び切り欠き２３から２６、から成る分断部の構造を削除し、図５のフラップ７、８、１２及び１３に対応するフラップをシート状部２及び５にも設け、待機状態に組み立てる際に対応するフラップ同士を剥がしやすいが再度くっつけるのが困難な不可逆的な方法で接着しておき、これらを分断部として、プライバシーの更なる保護を目指すような構造に変更しても良いだろう。
また、図５の組み立て前の状態で販売する場合は、スジ押し加工の代わりに折り位置を印刷するような方式で、コスト削減をはかっても良いだろう。
また、シート状部２及び５が連結されることでかなりの面積を確保し、かなりの量の絵や写真やメッセージを記載できるが、更なる情報を記載したい場合は、シート状部２を延長し、収納時は例えば蛇腹状に折り畳み回数を増やせば良いだろう。
【符号の説明】
【００１７】
１,４.                                収納部
２,５.                                シート状部
３,６.                                引張部
７,８,１２,１３.               フラップ
９,１０,１１,１４,
１５,１６,１７,１８,
１９,２０.                         折り目
２１.                                  タブ
２２.                                  スリット
２３,２４,２５,２６.       切り欠き
【図１】
0006944964.tif 000002
【図２】
0006944964.tif 000003
【図３】
0006944964.tif 000004
【図４】
0006944964.tif 000005
【図５】
0006944964.tif 000006
【図６】
0006944964.tif 000007